(57)【要約】  本発明を適用した１システムは、蛍光物質を励起する励起光を発光する第１の光源と、蛍光物質を励起させない非励起光を発光する第２の光源と、励起光、或いは非励起光の媒体への照射によって得られる、該媒体からの光を受光させるラインセンサと、励起光の受光により励起され、該励起光に応じた光を発光し、該発光した光がラインセンサに入射される発光手段と、発光手段のラインセンサ側とは反対側に設けられ、該発光手段からの光を遮光する遮光手段と、を具備する。
2012132011.tif 000002
【特許請求の範囲】
【請求項１】
蛍光物質を励起する励起光を発光する第１の光源と、
前記蛍光物質を励起させない非励起光を発光する第２の光源と、
前記励起光、或いは前記非励起光の媒体への照射によって得られる、該媒体からの光を受光させるラインセンサと、
前記励起光の受光により励起され、該励起光に応じた光を発光し、該発光した光が前記ラインセンサに入射される発光手段と、
前記発光手段の前記ラインセンサ側とは反対側に設けられ、該発光手段から前記媒体への光を遮光する遮光手段と、
を具備することを特徴とするラインセンサユニット。
【請求項２】
請求項１記載のラインセンサユニットであって、
前記発光手段は、前記非励起光を反射し、該反射光を前記ラインセンサに入射させる。
【請求項３】
利用者が媒体を用いた取り引きを行える自動取引装置であって、
蛍光物質を励起する励起光を発光する第１の光源と、
前記蛍光物質を励起させない非励起光を発光する第２の光源と、
前記取り引きのための前記媒体への前記励起光、或いは前記非励起光の照射によって得られる、該媒体からの光を受光するラインセンサと、
前記励起光の受光により励起され、該励起光に応じた光を発光し、該発光した光が前記ラインセンサに入射される発光手段と、
前記発光手段の前記ラインセンサ側とは反対側に設けられ、該発光手段から前記媒体への光を遮光する遮光手段と、
を具備することを特徴とする自動取引装置。
【請求項４】
請求項３記載の自動取引装置であって、
前記発光手段は、前記非励起光を反射し、該反射光を前記ラインセンサに入射させる。
【発明の詳細な説明】
【技術分野】
【０００１】
本発明は、蛍光物質を励起させる光、及び蛍光物質を励起させない光を用いてラインセンサにより媒体の画像を読み取る技術に関する。
【背景技術】
【０００２】
入射光を電気信号に変換する受光素子を複数、備えたラインセンサは、紙等の媒体上に形成された画像の読み取り等に広く用いられている。その読み取りは、通常、光源が発光した光を媒体に照射し、その照射によって得られる媒体からの光をラインセンサに入射させることで行われる。その読み取りを行っている間、媒体とラインセンサの位置関係を順次、変更することで、媒体全体の画像を読み取ることができる。【０００３】
ラインセンサの各受光素子から出力される信号のレベルは、同一の条件で光源を発光させて同一の媒体の画像を読み取らせる場合であっても、環境温度、並びに光源や受光素子の経年変化等により変動する。このことから、環境温度、及び経年変化等によって信号レベルが変化しないように、光源を発光させる駆動条件を調整することが行われている。その調整方法としては、光源を同一の条件で発光させ、その光を予め用意した反射物に反射させ、その反射物からの反射光をラインセンサに入射させて得られる受光素子の信号レベルを、予め用意された信号レベルと比較し、その比較結果に応じて行う方法が一般的である。そのような調整方法を用いて光源の駆動条件を調整することにより、環境温度、或いは経年変化等によって生じる、ラインセンサの受光素子の信号レベル変化を抑えることができる。【０００４】
ラインセンサを用いて画像を読み取る媒体の一つとして紙幣がある。その紙幣のなかには、偽造紙幣の流通を抑えるために蛍光物質が用いられているものがある。その蛍光物質は、例えば蛍光インキを用いた印刷によって紙幣上に存在する。蛍光インキの印刷によって紙幣上に存在する蛍光物質は、紫外線のような励起光を照射することにより発光する。それにより、蛍光物質を有する紙幣は、励起光の照射によって発光する部分から目視により真偽を判定できるようになっている。最近では、目視ではなく、励起光の照射によって発光する部分をラインセンサにより読み取り、真偽を自動的に判定することも行われている（特許文献３）。【０００５】
紙幣の鑑別では、真偽の判定の他に、破損状況や汚れ状況等の確認が行われるのが普通である。破損状況、及び汚れ状況は、励起光による蛍光物質の画像読み取りでは適切に確認することは困難である。このため、蛍光物質を有する紙幣に対し、真偽の判定の他に、破損状況や汚れ状況等を含む鑑別を行う場合、励起光による蛍光物質の画像読み取りに加えて、白色光等の非励起光による画像読み取りを行う必要がある。【０００６】
ラインセンサにより媒体上の発光している蛍光物質を画像として読み取る場合、光源として、その蛍光物質を励起させる励起光を発光する光源（以降「励起光光源」）を用いることになる。従って、蛍光物質を有する紙幣の鑑別では、励起光光源、及び非励起光を発光する光源（以降「非励起光光源」）が必要となる。【０００７】
製品開発では、一般的に、低コスト化が要請される。その要請から、１つのラインセンサを用いて、励起光による画像読み取り、非励起光による画像読み取りの両方を行うようにすることが考えられる。そのように１つのラインセンサを用いる場合、励起光光源と非励起光光源は比較的に狭い範囲に設置させることになる。【０００８】
励起光光源でも、環境温度、或いは経年変化に応じた駆動条件の調整を行う必要がある。励起光光源の駆動条件の調整では、上記反射物の代わりに、励起光によって励起され発光する発光体を用いる必要がある。そのような発光体には、励起光の照射が終了してから発光が消失するまでの時間（発光寿命）が存在する。このため、励起光光源と非励起光光源を比較的に狭い範囲に設置させている状態で励起光による画像読み取りに続けて励起光による画像読み取りを行うような場合、発光体の発光による光が紙幣の一部に照射されることが考えられる。【０００９】
紙幣の場所による照射光量の違いは、その紙幣の画像を適切に読み取るうえでの障害となる。このことから、非励起光による画像読み取りを適切に行えるようにするうえで、励起光による画像読み取りの影響をより抑えることが重要と云える。
【先行技術文献】
【特許文献】
【００１０】
【特許文献１】特開２００１−１１９５３０号公報
【特許文献２】特開２００８−２８７１４５号公報
【特許文献３】特開２００９−３７４１８号公報
【発明の開示】
【発明が解決しようとする課題】
【００１１】
本発明は、１つのラインセンサを用いて励起光と非励起光による媒体上の画像の読み取りを連続して行う場合に、非励起光による画像読み取り時における、励起光による画像読み取りの悪影響を、より抑える技術を提供することを目的とする。
【課題を解決するための手段】
【００１２】
本発明を適用した１システムは、蛍光物質を励起する励起光を発光する第１の光源と、蛍光物質を励起させない非励起光を発光する第２の光源と、励起光、或いは非励起光の媒体への照射によって得られる、該媒体からの光を受光させるラインセンサと、励起光の受光により励起され、該励起光に応じた光を発光し、該発光した光がラインセンサに入射される発光手段と、発光手段のラインセンサ側とは反対側に設けられ、該発光手段からの光を遮光する遮光手段と、を具備する。
【発明の効果】
【００１３】
本発明を適用した１システムでは、１つのラインセンサを用いて励起光と非励起光による媒体上の画像の読み取りを連続して行う場合に、非励起光による画像読み取りにおける励起光による画像読み取りの悪影響をより抑えることができる。
【図面の簡単な説明】
【００１４】
【図１Ａ】媒体の両面の画像をラインセンサによりそれぞれ読み取ることを想定した場合に考えられる構成例を説明する図（ラインセンサユニットの正面図）である。
【図１Ｂ】媒体の両面の画像をラインセンサによりそれぞれ読み取ることを想定した場合に考えられる構成例を説明する図（ラインセンサユニットの側面図）である。
【図１Ｃ】ラインセンサの構成を説明する図である。
【図２】本実施形態によるラインセンサユニットの構成を表す斜視図である。
【図３】反射部の構成を説明する図である。
【図４Ａ】反射部の設置方法を説明する図である。
【図４Ｂ】反射部の設置方法を説明する図である。
【図５】反射部の変形例を説明する図である。
【図６Ａ】本実施形態によるラインセンサユニットを用いて媒体の両面の画像を読み取る構成例を説明する図（ラインセンサユニットの正面図）である。
【図６Ｂ】本実施形態によるラインセンサユニットを用いて媒体の両面の画像を読み取る構成例を説明する図（ラインセンサユニットの側面図）である。
【図７】本実施形態による自動取引装置の外観図である。
【図８】本実施形態による自動取引装置の各部の配置図である。
【図９】本実施形態による自動取引装置の回路構成図である。
【図１０】各光源の駆動条件を調整する場合に、各光源から発光・反射物に照射される光量、その照射によってその発光・反射物が発光する光量の時間変化を説明する図である。
【図１１】媒体の画像の読み取りのために各光源から照射される光量の時間変化を説明する図である。
【発明を実施するための形態】
【００１５】
始めに、図１Ａ〜図１Ｃを参照し、１つのラインセンサを用いて、励起光、及び非励起光による媒体の画像読み取りを連続して行える構成例について説明する。図１Ａ、及び図１Ｂは、媒体１の両面の画像をそれぞれ読み取ることを想定した場合に考えられる構成例を説明する図である。図１Ａは、媒体１の長手方向と直交する直交方向から見た場合の構成例で、ラインセンサユニット１０の正面図であり、図１Ｂは、その長手方向から見た場合の構成例で、ラインセンサユニットの側面図である。図１Ｃは、ラインセンサの構成を説明する図である。
【００１６】
図１Ａ及び図１Ｂにおいて、１０はラインセンサユニットである。媒体１の上面の画像読み取り用にラインセンサユニット１０Ａ、媒体１の下面の画像読み取り用にラインセンサユニット１０Ｂが配置されている。図１Ａ及び図１Ｂに表すように、各ラインセンサユニット１０（１０Ａ及び１０Ｂ）は、同じ構成であり、ケース１１内に、導光板１２、光源部１３、カバー１４、ラインセンサ１５、及び発光・反射物１６が収納されている。それにより、ラインセンサユニット１０は、媒体１上の画像の読み取りに必要な機能を備えた１個のユニットとして実現されている。
【００１７】
ケース１１は、四角柱の形状であり、長手方向（矢印Ｃ）に沿った４つの面のうちの１つの面に開口部１１Ａが設けられている。ラインセンサ１０Ａの開口部１１Ａとラインセンサ１０Ｂの開口部１１Ａは、媒体１が挿通する搬送路側に向かって、対向して、開口されている。カバー１４は、その開口部１１Ａを覆い、その開口部１１Ａから内部に塵埃等が入らないように保護する透明部材である。発光・反射物１６は、そのカバー１４の長手方向の片端に接着剤等により取り付けられている。
【００１８】
光源部１３は、例えば励起光の一種である紫外線を発光する励起光光源、及び例えば白色光を発光する非励起光源を少なくとも備えている。各光源からの光は導光板１２に入射され、導光板１２の長手方向（矢印Ｃ）全体からカバー１４に向かって矢印Ｇ方向に放射される。実際には、導光板１２から放射される光は、カバー１４に対向する側からのみ光を放射するように、ケース１１内に収納されている。導光板１２は、例えばカバー１４側のみ開口しているケース内に収納される。
【００１９】
ラインセンサ１５は、媒体１の長手方向（矢印Ｃ）に沿って、図１Ｃに表すように多数の受光素子１５Ａが配置されたものである。各受光素子１５Ａは、カバー１４側からの光を受光できるように配置されている。それにより、媒体１上の画像の読み取りは、光源部１３の何れかの光源が発光した光が、導光板１２→カバー１４→媒体１→カバー１４→ラインセンサ１５、の経路でラインセンサ１５に入射することで行われる。
【００２０】
上記のような構成のラインセンサユニット１０を用いた励起光、非励起光での媒体１の画像の読み取りは、例えば、ラインセンサユニット１０と媒体１の位置関係を順次、変更しながら、励起光の発光による画像の読み取り、非励起光の発光による画像の読み取りにより実現させることができる。そのような読み取り方法では、ラインセンサユニット１０に対して媒体１全体を１回、矢印Ｆ方向に移動させることにより、媒体１の全体画像の励起光と、非励起光による読み取りの両方を行うことができる。それにより、このような読み取り方法を採用すると、励起光、非励起光による画像読み取りを別々に行う場合と比較して、画像読み取りをより高速に行うことができる。
【００２１】
発光・反射物１６は、ラインセンサユニット１０Ａの長手方向（矢印Ｃ）のケース１１内の一端に、カバー１４に対して平行で、光源部１３とは反対側のラインセンサユニット１０Ａの長手方向（矢印Ｃ）の他端に設けられている。
【００２２】
発光・反射物１６は、非励起光光源が発光する場合、導光板１２を介して放射される非励起光を反射し、ラインセンサ１５に入射させる。励起光光源が発光する場合、発光・反射物１６は、導光板１２から放射される励起光により励起されて発光する。その発光により放射された光がラインセンサ１５に入射する。それにより、発光・反射物１６は、光源部１３に備えられた各光源、及びラインセンサ１５の各受光素子１５Ａの環境温度、経年変化等への対応のために設けられている。非励起光の反射、励起光の照射による発光を発光・反射物１６に行わせることにより、非励起光の反射、励起光の照射による発光を異なる部材によりそれぞれ行わせる場合と比較して、部品点数の削減、その削減による製造コストの低減、等を実現させることができる。
【００２３】
励起された発光・反射物１６は、励起光の照射が終了した後、発光寿命が経過するまでの間、発光する。発光・反射物１６が発光した光は、図１Ａ及び図１Ｂに表す矢印Ａのような経路を通った場合、ラインセンサ１５に入射される。それにより、励起光光源を発光させた後、直ちに非励起光光源を発光させて媒体１の画像を読み取る場合、媒体１上に照射される光量が場所によって異なることになる。このような光量の場所による変化は、媒体１上の画像を適切に読み取るうえで望ましくない。
【００２４】
また、媒体１の両面の画像を読み取る場合、発光・反射物１６が発光した光は、図１Ａ及び図１Ｂに表す矢印Ｂのような経路を通ることにより、対向する別（媒体１より下側）のラインセンサユニット１０Ｂのラインセンサ１５に入射される。このように、矢印Ｂのような経路を通る光も、媒体１上の画像の適切な読み取りを阻害する。
【００２５】
発光・反射物１６への光の照射は、光源部１３の何れかの光源が発光することで行われる。それにより、励起光光源の発光を終了した後、発光・反射物１６の発光寿命が経過する前に非励起光による画像読み取りを行う場合、発光・反射物１６の発光による光は適切な画像読み取りを阻害する。このようなことから、発光・反射物１６のような励起光の照射によって一定期間、発光が継続する部材を用いて環境温度、経年変化等に対応する場合、その一定期間、継続する発光は、適切な画像の読み取りを行ううえでの障害となる。本実施形態は、そのような障害の発生を回避させる。 以下、本発明の実施形態について、図面を参照しながら詳細に説明する。
【００２６】
図２は、本実施形態によるラインセンサユニットの構成を表す斜視図である。このラインセンサユニット２０は、媒体１に光を照射し、その照射によって媒体１から得られる光を電気信号に変換する機能を備えたものである。そのような機能をケース２１内に収納したことにより、画像を読み取る機能を搭載すべき装置への高い取り付け性を実現させている。
【００２７】
ケース２１は、図２に表すように、４角柱の形状であり、媒体１の長手方向（矢印Ｃ）に沿った４つの面のうちの１つに開口が設けられている。ラインセンサユニット２０の開口部２１Ａは、媒体１が挿通する搬送路側に向かって、開口されている。開口に、内部に塵埃等が入り込まないようにするカバー２４が設けられている。カバー２４、及びケース２１により形成された空間内に、導光板２２、光源部２３、ラインセンサ２５、及び反射部２６が収納されている。
【００２８】
光源部２３は、例えば励起光の一種である紫外線を発光する励起光光源、及び例えば白色光を発光する非励起光源を少なくとも備えている。各光源は、例えばＬＥＤ（Light Emitting Diode）である。各光源からの光は導光板２２に入射され、導光板２２の長手方向（矢印Ｃ方向）全体からカバー２４に向かって放射される。実際には、導光板２２から放射される光は、カバー２４に対向する側からのみ光を放射するように、ケース２１内に収納されている。導光板２２は、例えばカバー２４側のみ開口しているケース２１内に収納される。
【００２９】
ラインセンサ２５は、長手方向（矢印Ｃ方向）に沿って、多数の受光素子１５Ａが配置されたものである。各受光素子１５Ａは、カバー２４側からの光を受光できるように配置されている。それにより、媒体１上の画像の読み取りは、光源部２３の何れかの光源が発光した光が、導光板２２→カバー２４→媒体１→カバー２４→ラインセンサ２５、の経路でラインセンサ２５に入射することで行われる。
【００３０】
反射部２６は、非励起光光源が発光する場合、導光板２２を介して放射される非励起光を反射し、ラインセンサ２５に入射させる。励起光光源が発光する場合、反射部２６は、導光板２２から放射される励起光により励起され発光する。その発光により放射された光がラインセンサ２５に入射する。また、この時、媒体側にも入射する。それにより、反射部２６は、光源部２３に備えられた各光源、及びラインセンサ２５の各受光素子の環境温度、経年変化等への対応のために設けられている。媒体１の画像読み取りには用いられないことから、反射部２６は、カバー２４の長手方向（矢印Ｃ）の片端に設けられている。
【００３１】
より詳細には、反射部２６は、ラインセンサユニット２０の長手方向（矢印Ｃ）のケース２１内の一端に、カバー１４に対して平行で、光源部１３とは反対側のラインセンサユニット１０Ａの長手方向（矢印Ｃ）の他端に、設けられている。
【００３２】
なお、光源は、蛍光灯等の細長い１つの光源であっても良い。また、ラインセンサユニット２０の長手方向（矢印Ｃ）に沿って複数の発光素子を並べたものであっても良い。また、本実施例では、媒体の長手方向（矢印Ｃ）に対しての、媒体の読み取りの説明としたが、これに限らず、媒体の短手方向での読み取りも同様である。
【００３３】
図３は、反射部の構成を説明する図である。図４Ａ及び図４Ｂは、反射部の設置方法を説明する図である。
反射部２６は、図３に表すように、遮光物３１、発光・反射物３２、及び透明・耐湿物３３を備える。遮光物３１は、光を遮光するものであり、ラインセンサ側とは反対側に設けられ、平面状の形状となっている。
【００３４】
また、遮光物３１の周囲に立ち上がり面を設けることにより、周囲の光を、より遮光する効果をあげることもできる。
遮光物３１は、反射部２６から発光された光が、媒体１へ向いて発光される光を遮光する。
【００３５】
図６Ａで表すようにラインセンサユニット２０から放射された光が発光・反射物３２に照射される。更に、発光・反射物３２から反射された光が、媒体１へ照射される光Ｈや光Ｋを遮光できるようになる。また、別発光体からの光、例えば、図６Ａで表すように媒体１を挟んで、上下にラインセンサユニット２０、６０を配置した場合、対向側のラインセンサユニット６０から放射された光が対向側の発光・反射物３２に照射される光Ｊも遮光できるようになる。
【００３６】
発光・反射物３２及び透明・耐湿物３３も平面状の形状である。発光・反射部３２は、非励起光を反射し、励起光によって発光する。透明・防湿物３３は、発光・反射部３２に照射される光、及びその発光・反射物３２からの光を遮ることなく、その発光・反射物３２を湿気から保護するものである。それにより、反射部２６は、カバー２４側から、遮光物３１、発光・反射物３２、透明・耐湿物３３の順序で重ねた形の構成となっている。反射部２６をカバー２４に設けた面上の面積は、遮光物３１＞透明・耐湿物３３＞発光・反射物３２、の関係となっている。
【００３７】
このような構成のため、カバー２４への反射部２６の取り付けは、図４Ａに表すように、先ず、遮光物３１をカバー２４に接着剤等により貼り付ける。図４Ｂに表すように、次は発光・反射物３２を遮光物３１上に接着剤等により貼り付け、最後に、発光・反射物３２を覆うように透明・耐湿物３３を例えば遮光物３１及び発光・反射物３２上に接着剤等により貼り付けることで行うことができる。
【００３８】
このような構成のため、反射部２６は、発光・反射部３２からの光がカバー２４に達するのを遮光物３１により防止する。それにより、発光・反射部３２の発光寿命の長さに係わらず、発光・反射部３２の励起光の照射によって発光した光が媒体１に照射される、他のラインセンサユニットのラインセンサに入射される、といったことは回避される。この結果、光源部２３から励起光の発光、非励起光の発光を繰り返すことで、媒体１に対し、励起光による画像読み取り、非励起光による画像読み取りを連続して行う場合であっても、発光・反射部３２からの光による、その画像読み取りへの悪影響も回避されることとなる。
【００３９】
なお、発光・反射物３２は、例えば図５に表すように、発光・反射物３２の大きさに合わせた形状の窪み５１ａを形成した遮光物５１を用意し、その窪み５１ａ内に取り付けるようにしても良い。その窪み５１ａ内に取り付けた発光・反射物３２を保護するために、発光・反射物３２を覆うように透明・耐湿物を取り付けても良い。
【００４０】
図６Ａ、及び図６Ｂは、本実施形態によるラインセンサユニットを用いて媒体の両面の画像を読み取る構成例を説明する図である。図６Ａは、媒体１の長手方向と直交する直交方向から見た場合の構成例のラインセンサユニットの正面図であり、図６Ｂは、その長手方向から見た場合の構成例のラインセンサユニットの側面図である。両面の画像を読み取るべき媒体１としては、紙幣がある。
【００４１】
図６Ａ及び図６Ｂに表すラインセンサユニット６０は、ケース６１とそのケース６１の開口部６１Ａに設けられたカバー６４内に、導光板６２、６７、光源部６３、６８、ラインセンサ６５、及び反射部６６は、が収納された構成となっている。それらの構成要素において、導光板６２、光源部６３、ラインセンサ６５、及び反射部６６は、図２に表すラインセンサユニット２０と基本的に同じものである。反射部６６は、遮光物６６ａ、発光・反射物６６ｂ、及び透明・耐湿物６６ｃを備える。図６Ａ及び図６Ｂでは、反射部２６、６６の遮光物３１、６６ａ、発光・反射物３２、６６ｂ、及び透明・耐湿物３３、６６ｃを離して描いているが、それらは共に実際には図３に表すような状態である。
【００４２】
導光板６７及び光源部６８は、媒体１を透過する光により画像を読み取るためのものである。光源部６８には、導光板６７に入射する光を発光する１つ以上の光源が存在する。その光源は、例えば非励起光を発光する非励起光光源である。
【００４３】
上記のように、ラインセンサユニット２０では、光源部２３での励起光光源の発光に伴う発光・反射物３２の発光による光はカバー２４を透過して外部に出ない。ラインセンサユニット６０でも同様に、光源部６３の励起光光源の発光に伴う発光・反射物６６ｂの発光による光はカバー６４を透過して外部に出ない。このようなことから、各ラインセンサユニット２０及び６０での画像読み取りは、媒体１に対し、励起光による画像読み取り、非励起光による画像読み取りを連続して行う場合であっても、適切に行うことができる。
【００４４】
図６Ａ及び図６Ｂに表すような構成は、紙幣を用いて取り引きを行うことが可能な自動取引装置に適用することができる。以降は、図６Ａ及び図６Ｂに表すような構成を採用した自動取引装置、つまり本実施形態による自動取引装置について、図７〜図１１を参照し、詳細に説明する。
【００４５】
図７は、本実施形態による自動取引装置の外観図、図８は、各部の配置図、図９は、その回路構成図である。
本実施形態による自動取引装置７０は、紙幣を媒体１として扱うＡＴＭ（Automated Teller Machine）に本発明を適用したものである。図７に表すように、その自動取引装置７０には、キャッシュカード、若しくはクレジットカード等の挿入、返却、更には行われた取り引きの詳細が印刷されたレシートの排出に用いられるカード出入口７１、紙幣の投入、或いは紙幣の排出に用いられる紙幣入出金口７２、通帳の挿入、返却用の通帳出入口７３、硬貨の投入、排出に用いられる硬貨入出金口７４、表示装置、及びタッチパネルを備えた顧客操作部７５が設けられている。なお、本発明を適用する自動取引装置は、取り引きに用いられる媒体１の画像を読み取るものであれば良い。このことから、適用可能な自動取引装置はＡＴＭに限定されるものではない。
【００４６】
その自動取引装置７０は、内部に、鑑別部８１、２つのリサイクル庫８２（８２ａ、８２ｂ）、一時貯溜部８３、入金庫８４、出金庫８５、リジェクト庫８６、回収庫８７、及びＡＴＭ制御部８８を備えている。
【００４７】
鑑別部８１は、紙幣の真偽、破損状況、汚れ状況、金種等を光学的、磁気的に鑑別するものである。紙幣を光学的に読み取るために、図６Ａ及び図６Ｂに表す構成、つまり２つのラインセンサユニット２０及び６０を備えている。
【００４８】
２つのリサイクル庫８２は、それぞれ異なる金種の紙幣の格納に用いられる。一時貯溜部８３は、出金、或いは入金する紙幣の一時的な格納に用いられる。入金庫８４は、２つのリサイクル庫８２のうちの一方に紙幣を補充するためのものである。出金庫８５は、２つのリサイクル庫８２のうちの少なくとも一方に格納された紙幣を取り出すためのものである。リジェクト庫８６は、紙幣入出金口７２に入金（投入）された紙幣のなかで利用者に返却すべき紙幣の格納に用いられる。回収庫８７は、破損、或いは汚れ等により回収すべき（リサイクルすべきでない）紙幣の格納に用いられる。ＡＴＭ制御部８８は、自動取引装置７０全体の制御を行い、利用者が顧客操作部７５を介して要求した取り引きを実現させる。
【００４９】
このＡＴＭ制御部８８は、例えば各種ＬＳＩ等が搭載されたプリント基板（ＰＣＢ）である。図９に表すように、主制御部８８０と、その主制御部８８０がワークに用いるメモリ（実際には例えばメモリモジュールである）８８１、ハードディスク装置８８２、銀行ホスト通信制御部８８３、及びＩＯ（Input/Output）制御部８８４を備えている。銀行ホスト通信制御部８８３は、不図示のホスト・コンピュータとの間で通信を行うためのものである。
【００５０】
ＩＯ制御部８８４には、上記鑑別部８１、顧客操作部７５の他に、紙幣処理ユニット９１、硬貨処理ユニット９２、通帳処理ユニット９３、カード／レシート処理ユニット９４が接続されている。各部９１〜９４は、以下のような機能を備えている。
紙幣処理ユニット９１は、紙幣の入出金を行うものである。その入出金を行うために、紙幣の搬送に用いるモータの駆動、ソレノイド等（共に図示せず）の駆動等を行う。硬貨処理ユニット９２は、硬貨入出金口７４を介した硬貨の入出金を実現させる。通帳処理ユニット９３は、通帳出入口７３に挿入された通帳の搬送（取り込み、及び返却）、通帳に記述された情報の読み取り、及び印字等を行うものである。
【００５１】
カード／レシート処理ユニット９４は、カード出入口７１に挿入されたキャッシュカード、クレジットカード等の搬送（取りこみ、及び搬送）、挿入されたカードの情報の読み取り、及び取り引き内容を印字したレシートの発行を行うものである。手のひら静脈／指静脈センサ部２８は、生体認証のための情報を読み取るためのものである。端末置き台２７は、鍵データ６の配信対象とするモバイル端末５を利用者が任意に指定できるように用意したものである。
【００５２】
鑑別部８１は、紙幣処理ユニット９１の制御によって紙幣入出金口７２から搬送される紙幣の両面の画像を、ラインセンサユニット２０、６０を用いて読み取り、読み取った画像から、真偽、金種、破損状況、汚れ状況等の各種判定を行う。各種判定結果は、ＩＯ制御部８８４を介して主制御部８８０に通知される。
【００５３】
主制御部８８０は、その通知により、鑑別された紙幣の扱いを決定し、紙幣処理ユニット９２に指示して、その紙幣を搬送すべき搬送先に搬送させる。この結果、真と判定された紙幣は、一時貯溜部８３に搬送され、真と判定されなかった紙幣（鑑別が行えなかった紙幣を含む）はリジェクト部８６に搬送される。そのようにして入金された紙幣は一時貯溜部８３、或いはリジェクト部８６に収納される。
【００５４】
そのような収納が終了した後、主制御部８８０は、利用者に入金取り引きを行うか否かを問い合わせる画面を顧客操作部７５の表示装置上にさせ、入金取り引きを行うか否かを利用者に選択させる。その選択結果は、顧客操作部７５からＩＯ制御部８８４を介して主制御部８８０に通知される。それにより、利用者が入金取り引きを行うことを選択した場合、主制御部８８０は、紙幣処理ユニット９１に指示して、一時貯溜部８３に収納された紙幣をその金種に対応するリサイクル庫８２に搬送させる。一時貯溜部８３に収納されたリサイクルすべきでない紙幣は、回収庫８７に搬送させる。リジェクト庫８６に収納させた紙幣は、利用者に返却するために、その紙幣は紙幣入出金口７２に搬送させる。一方、利用者が入金取り引きを行うことを選択しなかった場合、主制御部８８０は、紙幣処理ユニット９１に指示して、一時貯溜部８３に収納された紙幣、リジェクト庫８６に収納された紙幣を利用者に返却するために、紙幣入出金口７２に搬送させる。
【００５５】
主制御部８８０は、予め定めたタイミング（例えば起動）の到来、或いは銀行の作業員等による指示により、鑑別部８１に指示し、ラインセンサユニット２０、６０の各光源部２３、６３、６８に備えられた光源を発光させて、その光源の駆動条件の調整を行う。光源には励起光光源が含まれる。このことから、主制御部８８０、或いは鑑別部８１は、図１０に表すように、励起光の発光を終了させた後、その励起光が照射される発光・反射物３２、或いは６６ｂの発光寿命が経過するのを待って、非励起光（励起光以外の光）の発光を行わせる。それにより、励起光の照射による発光・反射物３２、或いは６６ｂの発光が影響しないように、非励起光光源の駆動条件の調整が行われる。図１０において、横軸に時間、縦軸に光量を取っている。その縦軸で表される光量は、発光・反射物３２、或いは６６ｂに励起光を照射している間はその励起光の照射光量であり、発光・反射物３２、或いは６６ｂに励起光を照射していない間はその発光・反射物３２、或いは６６ｂの発光量である。
【００５６】
上記のように、発光・反射物３２、及び６６ｂが発光する光による悪影響は排除される。このことから、主制御部８８０は、例えば図１１に表すように、ラインセンサユニット２０、６０の各光源部２３、６３、６８に備えられた光源を連続して発光させ、励起光による画像読み取り、及び非励起光による画像読み取りを鑑別部８１に行わせる。それにより、紙幣を鑑別部８１に一度、通過させると、その紙幣の励起光により読み取られた画像、その紙幣の非励起光により読み取られた画像の少なくとも２つが取得される。その図１１でも図１０と同様に、横軸に時間、縦軸に光量を取っている。その縦軸で表される光量は、発光・反射物３２、或いは６６ｂに照射される励起光、或いは非励起光の光量である。
【００５７】
なお、本実施形態では、ラインセンサユニット自体に、励起光の照射により発光される励起光を外部に出さない遮光物を設けているが、その遮光物はラインセンサユニットの外部に設けても良い。光源、及びラインセンサ等のユニット化は行わなくとも良く、必要な構成要素を自動取引装置に搭載させるようにしても良い。発光・反射物の代わりに、励起光の照射により発光する部材、非励起光を反射する部材をそれぞれ用意しても良い。また、本実施形態のようなラインセンサユニットを搭載させる装置は、自動取引装置に限定されるものではない。
【図１Ａ】
2012132011.tif 000003
【図１Ｂ】
2012132011.tif 000004
【図１Ｃ】
2012132011.tif 000005
【図２】
2012132011.tif 000006
【図３】
2012132011.tif 000007
【図４Ａ】
2012132011.tif 000008
【図４Ｂ】
2012132011.tif 000009
【図５】
2012132011.tif 000010
【図６Ａ】
2012132011.tif 000011
【図６Ｂ】
2012132011.tif 000012
【図７】
2012132011.tif 000013
【図８】
2012132011.tif 000014
【図９】
2012132011.tif 000015
【図１０】
2012132011.tif 000016
【図１１】
2012132011.tif 000017
【国際調査報告】
2012132011.tif 000018
2012132011.tif 000019